(57)【要約】【課題】  サウンドホールの周縁を傷つけることおよび音質を損なうことを防止し、初心者であっても正しい姿勢で保持することができ、しかも取り付けが容易となる弦楽器保持補助具を提供する。【解決手段】  弦楽器保持補助具１００は、弦楽器１０の周面に吸着させる吸盤シート４０と、吸盤シート４０に一端４２ａが取り付けられ、弦楽器１０の周面を支持して巻き掛けられるベルト４２と、ベルト４２の他端に取り付けられ、ヘッド１８に固定されるホルダ４８とを備える。【選択図】  図２
2011107456.tif 000002
【特許請求の範囲】
【請求項１】
正面にサウンドホールが形成された本体と、前記本体に一端が取り付けられたネックと、前記ネックの他端に取り付けられたヘッドと、前記サウンドホールを跨ぎ前記ヘッドおよび前記本体の間に張架された弦とを備える弦楽器に適用される弦楽器保持補助具であって、
前記弦楽器に吸着させる吸着手段と、
前記吸着手段に一端が取り付けられた帯体と、
前記帯体の他端に取り付けられ、前記ネックまたは前記ヘッドに固定されるホルダとを備えることを特徴とする弦楽器保持補助具。
【請求項２】
請求項１において、
前記吸着手段は、複数の吸盤が形成された吸盤面を有する吸盤シートであることを特徴とする弦楽器保持補助具。
【請求項３】
請求項１において、
前記吸着手段は、前記弦楽器に吸着させる吸盤と、
前記吸盤の吸着面の反対側に取り付けられたフックと、
前記フックを引っかけるための取付具とを備え、
前記帯体は、前記取付具の一端に取り付けられていることを特徴とする弦楽器保持補助具。
【発明の詳細な説明】
【技術分野】
【０００１】
本発明は、弦楽器の保持を補助する弦楽器保持補助具に係り、特に、サウンドホールの周縁を傷つけることおよび音質を損なうことを防止し、初心者であっても正しい姿勢で保持することができ、しかも取り付けが容易となる弦楽器保持補助具に関する。
【背景技術】
【０００２】
従来、弦楽器を保持する技術としては、例えば、非特許文献１記載の技術および特許文献１記載の技術が知られている。
【０００３】
非特許文献１記載のストラップは、プレイヤの首に掛けられる紐と、その紐を２つ折りにして折りの部分で緊結されたフックと、紐の両先端部に取り付けられた長さ調整具とを備える。ウクレレのサウンドホールの下部周縁にフックを引っかけ、ウクレレの正面に沿って紐を垂下させ、ウクレレの下部周面から背面側に紐を誘導し、フックとは反対側の紐の円環部をプレイヤの首に掛けることによりウクレレを保持することができる。紐の長さは、プレイヤの首の裏側にあたる長さ調整具を紐に沿ってスライドさせることにより調整する。
【０００４】
特許文献１記載のストラップは、三味線の下棹と中木との間を皮製のベルトと革ヒモで結び、ギター用のエンドピンを取り付け、ここにギター用の吊り下げストラップを接続することにより、三味線を肩に掛けて用いるものである。
【先行技術文献】
【非特許文献】
【０００５】
【非特許文献１】“ウクレレストラップ”、［online］、平成２１年６月１日、イクラニ・ジャパン、［平成２１年６月１日検索］、インターネット＜URL：http://www.ikulani.com/shop/ukulele_accessory/ukulele_strap/ukulele_strap.html＞
【特許文献】
【０００６】
【特許文献１】実用新案登録第３１２６９６９号公報
【発明の概要】
【発明が解決しようとする課題】
【０００７】
しかし、非特許文献１記載のストラップにあっては、ウクレレの下部周面を２本の紐で支持しているので、サウンドホールの下部周縁に引っかけたフックにウクレレの自重が掛かってしまう。そのため、サウンドホールの周縁に大きな負担がかかり、サウンドホールの周縁が傷つきやすいという問題があった。
【０００８】
また、ウクレレの下部周面を２本の紐だけで支持しているので、ウクレレの持ち方に自由度が高い。そのため、初心者が正しい姿勢でウクレレを保持することが容易ではないという問題もあった。
【０００９】
また、特許文献１記載のストラップにあっては、三味線の下棹と中木との間を皮製のベルトと革ヒモで結んでいるが、これをウクレレ等の弦楽器に適用する場合は、中木に相当する突起部材を本体に形成しなければならない。しかし、サウンドホールが形成された本体に突起部材を形成すると、音質に影響を与え、音質を損なう可能性があるという問題があった。
【００１０】
また、ベルトおよび革紐のほか、ギター用のエンドピンおよび吊り下げストラップも取り付ける必要があるので、取り付けが容易でないという問題もあった。
【００１１】
そこで、本発明は、このような従来の技術の有する未解決の課題に着目してなされたものであって、サウンドホールの周縁を傷つけることおよび音質を損なうことを防止し、初心者であっても正しい姿勢で保持することができ、しかも取り付けが容易となる弦楽器保持補助具を提供することを目的としている。
【課題を解決するための手段】
【００１２】
〔発明１〕  上記目的を達成するために、発明１の弦楽器保持補助具は、正面にサウンドホールが形成された本体と、前記本体に一端が取り付けられたネックと、前記ネックの他端に取り付けられたヘッドと、前記サウンドホールを跨ぎ前記ヘッドおよび前記本体の間に張架された弦とを備える弦楽器に適用される弦楽器保持補助具であって、前記弦楽器に吸着させる吸着手段と、前記吸着手段に一端が取り付けられた帯体と、前記帯体の他端に取り付けられ、前記ネックまたは前記ヘッドに固定されるホルダとを備える。
【００１３】
このような構成であれば、弦楽器に吸着手段を吸着させ、プレイヤの首の裏側を通じてプレイヤの両肩に帯体を架け渡し、帯体の他端に取り付けられたホルダをネックまたはヘッドに固定する。これにより、吸着手段で弦楽器を支持しながら、プレイヤは、弦楽器全体を保持することができる。
【００１４】
ここで、帯体の一端とは、帯体のうちある長さ部分の端部をいい、帯体の一端よりも長さ方向外側に帯体の余分が存在することも含まれる。帯体の他端についても同様である。すなわち、帯体の一部または全部により巻き掛けを実現することができればよい。帯体の一部により巻き掛ける場合には、帯体の一端および他端に余分が存在する場合、帯体の一端にのみ余分が存在する場合、帯体の他端にのみ余分が存在する場合が含まれる。
【００１５】
また、吸着手段は、弦楽器に吸着させるものであればよく、例えば、弦楽器の周面、背面、正面その他の箇所に吸着させることができる。
【００１６】
〔発明２〕  さらに、発明２の弦楽器保持補助具は、発明１の弦楽器保持補助具において、前記吸着手段は、複数の吸盤が形成された吸盤面を有する吸盤シートである。
【００１７】
このような構成であれば、弦楽器に吸盤シートを貼り、プレイヤの首の裏側を通じてプレイヤの両肩に帯体を架け渡し、帯体の他端に取り付けられたホルダをネックまたはヘッドに固定する。
【００１８】
〔発明３〕  さらに、発明３の弦楽器保持補助具は、発明１の弦楽器保持補助具において、前記吸着手段は、前記弦楽器に吸着させる吸盤と、前記吸盤の吸着面の反対側に取り付けられたフックと、前記フックを引っかけるための取付具とを備え、前記帯体は、前記取付具の一端に取り付けられている。
【００１９】
このような構成であれば、弦楽器に吸盤を吸着させ、フックを取付具に引っかけ、プレイヤの首の裏側を通じてプレイヤの両肩に帯体を架け渡し、帯体の他端に取り付けられたホルダをネックまたはヘッドに固定する。
【００２０】
ここで、吸盤は、弦楽器に吸着させるものであればよく、例えば、弦楽器の周面、背面、正面その他の箇所に吸着させることができる。
【発明の効果】
【００２１】
以上説明したように、発明１の弦楽器保持補助具によれば、吸着手段で弦楽器を支持するので、従来に比して、サウンドホールの周縁への負担を低減することができ、サウンドホールの周縁を傷つける可能性を低減することができるという効果が得られる。また、吸着手段で弦楽器を支持するとともにプレイヤの両肩に帯体を架け渡して弦楽器全体を保持するので、従来に比して、姿勢をある程度固定することができ、初心者であっても比較的正しい姿勢で弦楽器を保持することができるという効果が得られる。さらに、オープンコードを演奏する場合は、弦を押さえる手を弦楽器から離すこととなるが、この場合でも、帯体により弦楽器全体が保持されるので、弦楽器の保持位置がずれる可能性を低減することができるという効果が得られる。さらに、サウンドホールが形成された本体に突起部材を設けなくてもすむので、従来に比して、音質に影響を与えにくく、音質を損なう可能性を低減することができるという効果が得られる。さらに、弦楽器に吸着手段を吸着させ、帯体を巻き掛けるだけでよいので、従来に比して、取り付けが容易であるという効果が得られる。さらに、弦楽器に吸着手段を吸着させるだけなので、接着する場合に比して、弦楽器を傷つける可能性を低減することができるという効果が得られる。
【００２２】
さらに、発明２の弦楽器保持補助具によれば、吸盤シートと帯体とが同程度の厚さを有するので、折り畳んでひとまとめにし、コンパクトに収納することができるという効果が得られる。また、弦楽器に吸盤シートを貼るだけでよいので、取り付けがさらに容易であるという効果が得られる。さらに、吸盤シートは、吸盤に比して、吸着力を広い面積に分散させることができるので、弦楽器を傷つける可能性をさらに低減することができるという効果が得られる。
【００２３】
さらに、発明３の弦楽器保持補助具によれば、吸盤およびフックと取付具および帯体とを分離することができるので、取付具および帯体を折り畳んでひとまとめにし、コンパクトに収納することができるという効果が得られる。また、吸盤の吸着力が低下した場合やフックが破損した場合は、別の吸盤またはフックを用いればよいので、修理が容易であるという効果が得られる。
【図面の簡単な説明】
【００２４】
【図１】弦楽器保持補助具１００の構成を示す図である。
【図２】弦楽器保持補助具１００を装着した状態を示す図である。
【図３】弦楽器１０の周面に吸盤シート４０を貼った状態を示す図である。
【図４】弦楽器１０の周面にベルト４２を巻き掛けた状態を示す図である。
【図５】ヘッド１８にホルダ４８を固定した状態を示す図である。
【図６】弦楽器保持補助具１００および吸盤５０の構成を示す図である。
【図７】弦楽器保持補助具１００を装着した状態を示す図である。
【発明を実施するための形態】
【００２５】
〔第１の実施の形態〕
以下、本発明の第１の実施の形態を図面を参照しながら説明する。図１ないし図５は、本発明に係る弦楽器保持補助具の第１の実施の形態を示す図である。
【００２６】
まず、本実施の形態に係る弦楽器保持補助具１００の構成を説明する。
図１は、弦楽器保持補助具１００の構成を示す図である。図１（ａ）は、弦楽器保持補助具１００の正面図である。図１（ｂ）は、弦楽器保持補助具１００の背面図である。
【００２７】
図２は、弦楽器保持補助具１００を装着した状態を示す図である。
弦楽器保持補助具１００は、図１に示すように、プレイヤが弦楽器１０を保持することを補助する補助具であって、ストラップやショルダーベルト等として構成されている。
【００２８】
弦楽器１０は、図２に示すように、正面にサウンドホール１２が形成された本体１４と、本体１４に一端が取り付けられたネック１６と、ネック１６の他端に取り付けられたヘッド１８と、サウンドホール１２を跨ぎヘッド１８および本体１４の間に張架された弦２０とを有して構成されている。弦楽器１０としては、例えば、ウクレレやクラシックギター等を用いることができる。
【００２９】
弦楽器保持補助具１００は、図１および図２に示すように、弦楽器１０の周面に吸着させる吸盤シート４０と、吸盤シート４０に取り付けられたベルト４２とを有して構成されている。
【００３０】
吸盤シート４０は、複数の吸盤が形成された吸盤面を有している。吸盤シート４０は、例えば、軟質塩化ビニール、ポリエステル、ポリオレフィン等のシートに柔軟質で可撓性のある吸盤用インキをスクリーン印刷することにより製造することができる。他の製造方法としては、例えば、特開平６−２３８８４５号公報に開示されている吸盤シート製造方法を採用することができる。すなわち、塩化ビニール樹脂または合成紙等のシートまたはフィルム等の貼付材の裏面に、ポリ塩化ビニール樹脂を溶剤および可塑剤等により柔軟質化した吸盤素材となるインキ様物質を使用してスクリーン印刷方法により網目状の吸盤型の連続した紋様を印刷して吸盤層を設置する。
【００３１】
吸盤シート４０は、ベルト４２と同程度の厚さおよび幅を有する。これにより、折り畳んでひとまとめにし、コンパクトに収納することができる。
【００３２】
吸盤シート４０は、例えば、幅４０[mm]、長さ２１０[mm]で、１平方センチメートルあたり８〜１０個の吸盤が形成されている。これにより、弦楽器１０から両手を離しても弦楽器１０が脱落しない程度の吸着力を発揮することができる。
【００３３】
吸盤シート４０の一端には、ベルト４２の一端４２ａが取り付けられている。そして、ベルト４２は、弦楽器１０の周面を支持して巻き掛けられる。
【００３４】
弦楽器保持補助具１００は、さらに、ベルト４２の他端を折り返して形成された円環部４２ｃの開口箇所を締着しベルト４２の長さを調整する長さ調整具４４と、ベルト４２の円環部４２ｃに取り付けられた革製の取付具４６と、取付具４６の先端４６ａ（ループ）に取り付けられたホルダ４８とを有して構成されている。
【００３５】
ホルダ４８は、取付具４６の先端４６ａに長さ方向中央部が結びつけられた紐４８ａと、中央部から分かれる２本の紐４８ａを締着し紐４８ａの長さを調整するアジャスタボール４８ｂとを有して構成されている。
【００３６】
次に、弦楽器保持補助具１００の装着方法を説明する。
図３は、弦楽器１０の周面に吸盤シート４０を貼った状態を示す図である。
【００３７】
図４は、弦楽器１０の周面にベルト４２を巻き掛けた状態を示す図である。
図５は、ヘッド１８にホルダ４８を固定した状態を示す図である。
【００３８】
まず、図３に示すように、弦楽器１０の周面に吸盤シート４０を貼ると、図４に示すように、吸盤シート４０に取り付けられたベルト４２を弦楽器１０の周面に巻き掛けることができる。
【００３９】
そして、プレイヤの首の裏側を通じてプレイヤの両肩にベルト４２を架け渡し、図５に示すように、ベルト４２に取り付けられたホルダ４８をヘッド１８に固定する。これにより、吸盤シート４０およびベルト４２で弦楽器１０の周面を支持しながら、プレイヤは、弦楽器１０全体を保持することができる。
【００４０】
このようにして、本実施の形態では、弦楽器保持補助具１００は、弦楽器１０の周面に吸着させる吸盤シート４０と、吸盤シート４０に一端４２ａが取り付けられ、弦楽器１０の周面を支持して巻き掛けられるベルト４２と、ベルト４２の他端に取り付けられ、ヘッド１８に固定されるホルダ４８とを備える。
【００４１】
これにより、吸盤シート４０およびベルト４２で弦楽器１０の周面を支持するので、従来に比して、サウンドホール１２の周縁１２ａへの負担を低減することができ、サウンドホール１２の周縁１２ａを傷つける可能性を低減することができる。
【００４２】
また、吸盤シート４０およびベルト４２で弦楽器１０の周面を支持するとともにプレイヤの両肩にベルト４２を架け渡して弦楽器１０全体を保持するので、従来に比して、姿勢をある程度固定することができ、初心者であっても比較的正しい姿勢で弦楽器１０を保持することができる。
【００４３】
さらに、オープンコードを演奏する場合は、弦を押さえる手を弦楽器１０から離すこととなるが、この場合でも、ベルト４２により弦楽器１０全体が保持されるので、弦楽器１０の保持位置がずれる可能性を低減することができる。
【００４４】
さらに、サウンドホール１２が形成された本体１４に突起部材を設けなくてもすむので、従来に比して、音質に影響を与えにくく、音質を損なう可能性を低減することができる。
【００４５】
さらに、弦楽器１０の周面に吸盤シート４０を貼り、ベルト４２を巻き掛けるだけでよいので、従来に比して、取り付けが容易である。
【００４６】
さらに、弦楽器１０の周面に吸盤シート４０を貼るだけなので、接着する場合に比して、弦楽器１０を傷つける可能性を低減することができる。
【００４７】
さらに、弦楽器１０がウクレレである場合において起立して演奏するときは、弦楽器１０を腕で挟む必要があるところ、弦楽器１０を腕で挟むと滑りやすく、プレイヤに負担がかかるという問題もあった。これに対し、本実施の形態では、吸盤シート４０およびベルト４２で弦楽器１０の周面を支持するとともにプレイヤの両肩にベルト４２を架け渡して弦楽器１０全体を保持するので、滑りにくく、プレイヤへの負担を低減することができる。
【００４８】
さらに、吸盤シート４０とベルト４２とが同程度の厚さを有するので、折り畳んでひとまとめにし、コンパクトに収納することができる。さらに、吸盤シート４０とベルト４２とが同程度の幅を有するので、さらにコンパクトに収納することができる。
【００４９】
さらに、吸盤シート４０は、吸盤に比して、吸着力を広い面積に分散させることができるので、弦楽器１０を傷つける可能性をさらに低減することができる。
【００５０】
本実施の形態において、吸盤シート４０は、発明１または２の吸着手段に対応し、ベルト４２は、発明１の帯体に対応している。
【００５１】
〔第２の実施の形態〕
次に、本発明の第２の実施の形態を図面を参照しながら説明する。図６および図７は、本発明に係る弦楽器保持補助具の第２の実施の形態を示す図である。
【００５２】
本実施の形態は、第１の実施の形態に対し、吸盤シート４０に代えて吸盤５０を用いる点が異なる。なお、以下、第１の実施の形態と異なる部分についてのみ説明し、重複する部分については同一の符号を付して説明を省略する。
【００５３】
まず、本実施の形態に係る弦楽器保持補助具１００の構成を説明する。
図６は、弦楽器保持補助具１００および吸盤５０の構成を示す図である。図６（ａ）は、弦楽器保持補助具１００の正面図および吸盤５０の左側面図である。図６（ｂ）は、弦楽器保持補助具１００の背面図および吸盤５０の右側面図である。
【００５４】
図７は、弦楽器保持補助具１００を装着した状態を示す図である。
弦楽器保持補助具１００は、図６および図７に示すように、弦楽器１０の周面に吸着させる吸盤５０と、吸盤５０の吸着面の反対側に取り付けられたフック５０ａとを有して構成されている。
【００５５】
ベルト４２の一端４２ａには、革製の取付具５２が取り付けられている。取付具５２の先端には、フック５０ａを引っかけるためのループ５２ａが形成されている。
【００５６】
次に、弦楽器保持補助具１００の装着方法を説明する。
まず、図７に示すように、フック５０ａが上向きとなるように弦楽器１０の周面に吸盤５０を吸着させ、取付具５２のループ５２ａにフック５０ａを引っかけると、取付具５２に取り付けられたベルト４２を弦楽器１０の周面に巻き掛けることができる。
【００５７】
そして、プレイヤの首の裏側を通じてプレイヤの両肩にベルト４２を架け渡し、ベルト４２に取り付けられたホルダ４８をヘッド１８に固定する。これにより、吸盤５０およびベルト４２で弦楽器１０の周面を支持しながら、プレイヤは、弦楽器１０全体を保持することができる。
【００５８】
このようにして、本実施の形態では、弦楽器１０の周面に吸着させる吸盤５０と、吸盤５０の吸着面の反対側に取り付けられたフック５０ａと、フック５０ａを引っかけるための取付具５２とを備える。
【００５９】
これにより、吸盤５０およびフック５０ａと取付具５２およびベルト４２とを分離することができるので、取付具５２およびベルト４２を折り畳んでひとまとめにし、コンパクトに収納することができる。また、吸盤５０の吸着力が低下した場合やフック５０ａが破損した場合は、別の吸盤またはフックを用いればよいので、修理が容易である。
【００６０】
本実施の形態において、吸盤５０、フック５０ａおよび取付具５２は、発明１または３の吸着手段に対応し、ベルト４２は、発明１または３の帯体に対応している。
【００６１】
なお、第１および第２の実施の形態においては、ベルト４２の面について特に説明しなかったが、ベルト４２のうち弦楽器１０の周面に接する面には、ストッパを形成してもよい。
【００６２】
これにより、弦楽器１０の周面にベルト４２を巻き掛けた場合に、ストッパによりベルト４２が弦楽器１０から脱落しにくいので、ベルト４２で弦楽器１０の周面をしっかりと支持することができる。
【００６３】
また、第１および第２の実施の形態において、ホルダ４８は、ヘッド１８に固定したが、これに限らず、ネック１６に固定することもできる。
【００６４】
また、第１および第２の実施の形態において、ベルト４２は、弦楽器１０の周面を支持して巻き掛けたが、これに限らず、吸盤シート４０のみを弦楽器１０の周面に巻き掛け、ベルト４２は、吸盤シート４０の一端を引っ張り上げるかたちでもよい。また、吸盤５０のみを弦楽器１０の周面に吸着させ、取付具５２は、吸盤５０を引っ張り上げるかたちでもよい。
【００６５】
また、第１および第２の実施の形態においては、ベルト４２の他端を折り返して形成された円環部４２ｃの開口箇所に長さ調整具４４を設けたが、これに限らず、長さ調整具４４および取付具４６を設けず、ベルト４２の他端にそのままホルダ４８を取り付けてもよい。
【００６６】
また、第２の実施の形態においては、１つの吸盤５０で構成したが、これに限らず、革製またはシート状等の取付具に、複数の吸盤（例えば、１つが吸盤５０の数分の一のサイズのもの）を伸長方向に連続して取り付け、その取付具をベルト４２の一端４２ａに取り付けてもよい。また、ベルト４２の一端４２ａに複数の吸盤を伸長方向に連続して取り付けてもよい。
【００６７】
また、第１の実施の形態においては、吸盤シート４０を弦楽器１０の周面に吸着させたが、これに限らず、弦楽器１０の背面、正面その他の箇所に吸着させることもできる。
【００６８】
また、第２の実施の形態においては、吸盤５０を弦楽器１０の周面に吸着させたが、これに限らず、弦楽器１０の背面、正面その他の箇所に吸着させることもできる。この場合、弦楽器１０の背面に吸着させると、弦楽器１０の保持位置がずれる可能性をさらに低減することができ、吸盤５０が視聴者から見えなくなるので見栄えがよい。
【００６９】
また、第１および第２の実施の形態においては、本発明を弦楽器１０に適用したが、これに限らず、本発明の主旨を逸脱しない範囲で他の場合にも適用可能である。
【符号の説明】
【００７０】
１００…弦楽器保持補助具、  １０…弦楽器、  １２…サウンドホール、  １２ａ…周縁、  １４…本体、  １６…ネック、  １８…ヘッド、  ２０…弦、  ４０…吸盤シート、  ４２…ベルト、  ４２ａ…一端、  ４２ｃ…円環部、  ４４…長さ調整具、  ４６、５２…取付具、  ４６ａ…先端、  ４８…ホルダ、  ４８ａ…紐、  ４８ｂ…アジャスタボール、  ５０…吸盤、  ５０ａ…フック、  ５２ａ…ループ
【図１】
2011107456.tif 000003
【図２】
2011107456.tif 000004
【図３】
2011107456.tif 000005
【図４】
2011107456.tif 000006
【図５】
2011107456.tif 000007
【図６】
2011107456.tif 000008
【図７】
2011107456.tif 000009